(57)【要約】【課題】本発明は、視力回復訓練装置に関するもので、視力回復訓練において効果の個体差を抑制し、最大の効果を得ることを目的とするものである。【解決手段】そしてこの目的を達成するために本発明は、画像の表示手段２と、この表示手段２に向けて水平方向に配置した第１、第２の光学手段３、４とを備え、前記第１、第２の光学手段３、４は、訓練者側に設けた接眼レンズ３ｂ、４ｂと、表示側に設けた対物レンズ３ｃ、４ｃと、前記訓練者と前記接眼レンズ３ｂ、４ｂの間に訓練眼への光の入射角を調整する光軸調整手段１７、１８を有し、前記対物レンズには、この対物レンズ３ｃ、４ｃを前記接眼レンズ３ｂ、４ｂと前記表示手段２との間を可動させる可動手段を連結し、前記光軸調整手段１７、１８には、この光軸調整手段１７、１８を駆動させる駆動手段を備えている。【選択図】図２
2010088539.tif 000002
【特許請求の範囲】
【請求項１】
画像の表示手段と、この表示手段に向けて水平方向に配置した第１、第２の光学手段とを備え、前記第１、第２の光学手段は、訓練者側に設けた接眼レンズと、表示側に設けた対物レンズと、前記訓練者と前記接眼レンズの間に訓練眼への光の入射角を調整する光軸調整手段を有し、前記対物レンズには、この対物レンズを前記接眼レンズと前記表示手段との間を可動させる可動手段を連結し、前記光軸調整手段には、この光軸調整手段を駆動させる駆動手段を備えている視力回復訓練装置。
【請求項２】
前記光軸調整手段は左右の訓練眼に対して独立して水平方向に回動可能な反射体である請求項１に記載の視力回復訓練装置。
【請求項３】
前記反射体は略平行に対向したミラーである請求項２に記載の視力回復訓練装置。
【請求項４】
前記反射体は略平行に対向した反射面を有するプリズムである請求項２に記載の視力回復訓練装置。
【請求項５】
前記接眼レンズを介して、前記訓練者に向かう画像情報の視度を前記対物レンズと前記接眼レンズの距離に応じて変化させた請求項１から４のいずれか１つに記載の視力回復訓練装置。
【請求項６】
前記対物レンズを、前記接眼レンズと前記表示手段間で可動させるとともに、前記表示手段は、表示する画像の大きさを可変する構成とした、請求項５に記載の視力回復訓練装置。
【請求項７】
前記表示手段は、基準表示と、この基準表示に対して大きさが可変される可変表示とを表示する構成とした請求項１から６のいずれか１つに記載の視力回復訓練装置。
【請求項８】
前記第１、第２の光学手段は、１つの前記表示手段に向けて配置した、請求項１から７のいずれか１つに記載の視力回復訓練装置。
【発明の詳細な説明】
【技術分野】
【０００１】
本発明は、視力回復訓練装置に関するものである。
【背景技術】
【０００２】
従来のこの視力回復訓練装置の構成は、以下のような構成となっていた。
【０００３】
すなわち、本体ケースの一端側に接眼用の覗き孔を設けるとともに、この本体ケースの内部には、可動自在となった表示部を設けている。そして、この表示部と訓練者の間には光学系がそれぞれ設けられ、前記表示部が訓練者に向かって前後に移動する。これにより、左眼と右眼の輻輳角を調整できるようになっている（例えば下記特許文献１）。
【特許文献１】特開２００７−０９７６７３号公報
【発明の開示】
【発明が解決しようとする課題】
【０００４】
上記従来例における課題は、訓練者に応じて個別に輻輳角を最適に調整できないため視力回復訓練の効果に個体差が生じるということであった。すなわち、この従来例においては、左眼と右眼の輻輳角は接眼用の覗き孔と表示部の位置関係など装置の設計時にあらかじめ設定された条件によって決定され、装置が完成した後には輻輳角を訓練者ごとに調整できなかったので、例えば訓練者に斜視などの個体差がある場合、輻輳角をその訓練者に最適な状態にして訓練を行うことができず、結果として訓練の効果に大きな差が生じてしまうのであった。
【０００５】
そこで本発明は、視力回復訓練において効果の個体差を抑制し、最大の効果を得ることを目的とするものである。
【課題を解決するための手段】
【０００６】
そしてこの目的を達成するために本発明は、画像の表示手段と、この表示手段に向けて水平方向に配置した第１、第２の光学手段とを備え、前記第１、第２の光学手段は、訓練者側に設けた接眼レンズと、表示側に設けた対物レンズと、前記訓練者と前記接眼レンズの間に訓練眼への光の入射角を調整する光軸調整手段を有し、前記対物レンズには、この対物レンズを前記接眼レンズと前記表示手段との間を可動させる可動手段を連結し、前記光軸調整手段には、この光軸調整手段を駆動させる駆動手段を備え、これにより所期の目的を達成するものである。
【発明の効果】
【０００７】
以上のように本発明は、画像の表示手段と、この表示手段に向けて水平方向に配置した第１、第２の光学手段とを備え、前記第１、第２の光学手段は、訓練者側に設けた接眼レンズと、表示側に設けた対物レンズと、前記訓練者と前記接眼レンズの間に訓練眼への光の入射角を調整する光軸調整手段を有し、前記対物レンズには、この対物レンズを前記接眼レンズと前記表示手段との間を可動させる可動手段を連結し、前記光軸調整手段には、この光軸調整手段を駆動させる駆動手段を備えているものであるので、視力回復訓練において効果の個体差を抑制し、最大の効果を得ることができる。
【０００８】
すなわち、本発明においては、表示手段を固定配置し、この表示手段と接眼レンズの間で対物レンズを可動させ、さらに、訓練者と接眼レンズの間に訓練眼への光の入射角を調整する光軸調整手段によって訓練眼に入射する光の角度を適宜調整して、たとえば、斜視など訓練者の個体差に応じて最適の状態に輻輳角を調整でき、これにより訓練者に効果的に表示手段に表示された表示が接近、または遠ざかるように移動する距離感を視覚認識させることができる。
【０００９】
つまり、本発明においては、訓練者に応じて個別に輻輳角を最適に調整することができるので、視力回復訓練において効果の個体差を抑制し、最大の効果を得ることができる。
【発明を実施するための最良の形態】
【００１０】
以下、本発明の一実施形態を、添付図面を用いて詳細に説明する。
【００１１】
（実施の形態）
図１において、１は本体ケースで、この本体ケース１の内部には、図２に示すごとく、液晶を利用した表示手段２が配置されている。この表示手段２は、この図２に示すごとく、本体ケース１の内部の奥側に配置されたものである。
【００１２】
また、この図２に示すように、本体ケース１の手前側には第１、第２の光学手段３、４が水平方向に並べて配置されている。これら第１、第２の光学手段３、４は、いずれも鏡筒３ａ、４ａ内に、接眼レンズ３ｂ、４ｂと、対物レンズ３ｃ、４ｃを所定間隔離した状態で配置した構成となっている。
【００１３】
そして、この接眼レンズ３ｂ、４ｂより手前側にはミラーなどの反射体により構成されている光軸調整手段１７、１８が、接眼レンズ３ｂ、４ｂに対して、それぞれ所定の角度で配置された構成となっている。この光軸調整手段１７、１８については後で詳細に説明する。
【００１４】
また、これら第１、第２の光学手段３、４の接眼レンズ３ｂ、４ｂは、この図２からも明らかなように、本体ケース１外に配置され、対物レンズ３ｃ、４ｃは、本体ケース１内に配置された構成となっている。
【００１５】
つまり、訓練者は、本体ケース１外に突出した鏡筒３ａ、４ａの手前側の開口３ｄ、４ｄに目を押し当て、その状態で、光軸調整手段１７、１８、接眼レンズ３ｂ、４ｂおよび対物レンズ３ｃ、４ｃを介して、表示手段２の表示を見ることになる。
【００１６】
このとき、本体ケース１内に配置された対物レンズ３ｃ、４ｃには、ロッド５を介して、リニアアクチュエータ６が連結されており、このリニアアクチュエータ６をモータ７で駆動することにより、対物レンズ３ｃ、４ｃは、接眼レンズ３ｂ、４ｂと表示手段２の間の鏡筒３ａ、４ａ内を可動することになる。
【００１７】
図３は、電気的なブロック図を示し、制御回路８には、ＡＣ／ＤＣ電源ユニット９を介して、電源が供給される。
【００１８】
ＡＣ／ＤＣ電源ユニット９と交流電源１０との接続は、電源スイッチ１１を介して行われる。
【００１９】
さて、電源が供給された制御回路８は、スタートスイッチ１２で制御をスタートさせ、駆動回路１３を介して、表示手段２を駆動する。このとき、対物レンズ３ｃ、４ｃも、表示手段２に表示された画像に連動して摺動される。
【００２０】
具体的には、表示手段２に表示される画像も、対物レンズ３ｃ、４ｃも近くにある物体が遠くに移動する様に動作され、この点は次に詳細に説明する。
【００２１】
図４および図５は、表示手段２に表示される画像が、視覚的に訓練者の近傍にある状態を示している。
【００２２】
図４に示すように対物レンズ３ｃ、４ｃはそれぞれホルダ３ｅ、４ｅに収納されており、このホルダ３ｅ、４ｅは鉛直下方に向けて円柱状の棒状突起３ｆ、４ｆが設けられている。
【００２３】
そして、第１、第２の光学手段３、４には案内溝３ｇ、４ｇが設けられ、棒状突起３ｆ、４ｆが摺動可能に保持されている。
【００２４】
この案内溝３ｇ、４ｇは棒状突起３ｆ、４ｆの円柱部側面が摺動する平行な側壁部分を有する長孔もしくは凹部で、表示手段２の表示部における焦点位置と接眼レンズ３ｂ、４ｂの中心を結ぶ光軸の角度θをなす直線に対して平行に形成される。
【００２５】
また、第１、第２の光学手段３、４には案内溝３ｇ、４ｇと平行にホルダ保持部３ｈ、４ｈが設けられており、ホルダ３ｅ、４ｅの保持部３ｈ、４ｈ側の外壁はこの保持部３ｈ、４ｈに沿う形状となっている。そして、この案内溝３ｇ、４ｇと、ホルダ保持部３ｈ、４ｈに沿って、ホルダ３ｅ、４ｅが移動し、これとともに対物レンズ３ｃ、４ｃも案内溝３ｇ、４ｇに沿って移動する構成としている。
【００２６】
訓練者１４は、図４に示すごとく、左右の開口３ｄ、４ｄに右目１５、左目１６を押し当て、この状態でスタートスイッチ１２を押す。図示していないが、左右の鏡筒３ａ、４ａの接眼レンズ３ｂ、４ｂの開口３ｄ、４ｄ側には、シャッターが設けられており、このシャッターを開閉することにより、右目１５、左目１６の単独の訓練と、両方同時の訓練が行える状態となっているが、以下の説明は、右目１５、左目１６の両方を同時に訓練している状態を説明することとする（従って、以下の説明では、シャッターは両目とも開放状態となっており、よって、図示していない）。
【００２７】
さて、図５は、右目１５、左目１６の訓練において、表示手段２に表示される画像が、近傍にある状態を示すものである。この図５において、円２ａは、訓練者１４から見える最外周を示している（つまり、両目で、双眼鏡で景色を見ている状態に似た状態となる）。
【００２８】
この図５で、円２ａ内には、基準表示２ｂと、この基準表示２ｂに対して大きさが可変される可変表示２ｃとが表示されている。この内、基準表示２ｂは、可変表示２ｃが手前にあるか遠方にあるかを、訓練者１４に強く視覚認識させるために設けたものであり、この図５に示すごとく、遠近法を利用し、中心の四角の枠Ａと、その四角の枠Ａの四隅に結んだ斜め線Ｂとを備えている。また、図示していないが、基準表示２ｂには四角の枠Ａ近傍から円２ａに向かって訓練者１４に明暗を視覚認識させるような白黒または色つきの濃淡をつけても良い。これにより遠近感をさらに訓練者１４に視覚認識させることができる。
【００２９】
ここで、可変表示２ｃが、近くにある状態では、図５のごとく、訓練者１４には、この可変表示２ｃは大きく視覚認識されるものである。
【００３０】
このように、可変表示２ｃが、近くにある状態と視覚認識させるために、図４に示すごとく、対物レンズ３ｃ、４ｃを最も接眼レンズ３ｂ、４ｂ側へと移動させ、また図５に示すごとく、表示手段２においては、可変表示２ｃと表示した大きさで表示を行うこととする。
【００３１】
このように設定した場合、まずは、図５に示す円２ａは、図４に示すごとく、最も手前側に移動した対物レンズ３ｃ、４ｃが凹レンズであることから、この対物レンズ３ｃ、４ｃに入射したことで、外側に広がった傾斜（負の屈折）を持ち、この傾斜による光（屈折した光束）が、次に、接眼レンズ３ｂ、４ｂを介して右目１５、左目１６に入射されることとなる。
【００３２】
接眼レンズ３ｂ、４ｂは、凸レンズであるので、対物レンズ３ｃ、４ｃからの光を右目１５、左目１６に焦点を結ぶごとく絞り込んだ（正の屈折）光を作る。
【００３３】
そして、この接眼レンズ３ｂ、４ｂから、光軸調整手段１７、１８を介して右目１５、左目１６に入る光の角度が広ければ、可変表示２ｃは、近くにあると視覚認識し、逆に、この接眼レンズ３ｂ、４ｂから、光軸調整手段１７、１８を介して右目１５、左目１６に入る光の角度が狭ければ、可変表示２ｃは、遠くにあると視覚認識する。
【００３４】
つまり、接眼レンズ３ｂ、４ｂの外周に対物レンズ３ｃ、４ｃからの光が入射すれば、可変表示２ｃは、近くにあると視覚認識し、逆に、接眼レンズ３ｂ、４ｂの内周に対物レンズ３ｃ、４ｃからの光が入射すれば、可変表示２ｃは、遠くにあると視覚認識する。
【００３５】
図５において、円２ａの近傍にまで、大きく可変表示２ｃを表示させた状態が図４に示すように訓練者１４に視覚認識させるものであって、このとき、開口３ｄ、４ｄに右目１５、左目１６を押し当てた訓練者１４には、虚像位置部分（図示せず）に、可変表示２ｃが存在しているものと視覚認識されている。
【００３６】
一方、図６および図７は、表示手段２に表示される画像が、視覚的に訓練者の遠方にある状態を示している。
【００３７】
このとき、対物レンズ３ｃ、４ｃは、図７に示すごとく、鏡筒３ａ、４ａ内を、接眼レンズ３ｂ、４ｂから、表示手段２側に最も離れた位置へと移動させられている。
【００３８】
また、このとき、図６からも理解されるように、可変表示２ｃは、小さく表示され、この小さく表示された可変表示２ｃが、対物レンズ３ｃ、４ｃで広げられた後に、接眼レンズ３ｂ、４ｂに到達することになるのであるが、図７においては、接眼レンズ３ｂ、４ｂの光として、接眼レンズ３ｂ、４ｂに到達する部分は、この接眼レンズ３ｂ、４ｂの外周よりは、はるか内方に入射することになる。
【００３９】
そして、この位置から、接眼レンズ３ｂ、４ｂにより、絞られて、光軸調整手段１７、１８を介して右目１５、左目１６に到達する光の角度は狭く、よって、訓練者１４にとっては、図７の遠方に可変表示２ｃが移動したように視覚認識され、つまり、訓練者１４には、図６の状態が視覚認識されるものである。
【００４０】
この訓練は、図５に示す様に、可変表示２ｃが、近傍にある状態から、図６に示す遠方にある状態まで、この可変表示２ｃが、徐々に移動することを繰り返すことによって、訓練者１４に近くから遠方まで、画像を見ようとする訓練を行い、これによって、視力回復訓練を行おうとしている。
【００４１】
本実施形態における特徴点の１つとして、接眼レンズ３ｂ、４ｂを固定し、対物レンズ３ｃ、４ｃを移動させるとともに、表示手段２の基準表示２ｂと可変表示２ｃの大きさを適切に調整することで、可変表示２ｃが、手前から遠方へと移動するときに、訓練者１４の右目１５、左目１６の焦点ズレを抑制できることが挙げられる。
【００４２】
ここで、本発明の最大の特徴である訓練者１４の右目１５、左目１６（訓練眼）への光の入射角を調整する光軸調整手段について詳細に説明する。
【００４３】
図８は本発明の視力回復訓練装置の要部である光軸調整手段を示す斜視図である。１７、１８は光軸調整手段であって、反射体である左目用第１、第２ミラー１７ａ、１７ｂおよび右目用第１、第２ミラー１８ａ、１８ｂが略平行に対向して配置された構成となっている。
【００４４】
そして、図８に示すように左目用第１、第２ミラー１７ａ、１７ｂ、および右目用第１、第２ミラー１８ａ、１８ｂの一方の端面は、それぞれサーボモータなどの位置決め制御が可能な回転駆動手段１９、２０の回転軸（図示せず）に固定され、左目用第１、第２ミラー１７ａ、１７ｂ、および右目用第１、第２ミラー１８ａ、１８ｂをそれぞれ独立した状態で回動可能としている。
【００４５】
回転駆動手段１９、２０は制御回路８に連結され、この制御回路８からの制御信号によって回転駆動手段１９、２０の駆動量を制御し、左目用第１、第２ミラー１７ａ、１７ｂ、および右目用第１、第２ミラー１８ａ、１８ｂの角度をそれぞれ独立した状態で適宜調整できるようになっている。
【００４６】
また、図２に示すように回転駆動手段１９、２０は、その回転軸が鉛直上方を向くように第１、第２の光学手段３、４に固定され、そして、左目用第１、第２ミラー１７ａ、１７ｂ、および右目用第１、第２ミラー１８ａ、１８ｂは、その一方の端面が回転駆動手段１９、２０の回転軸に固定され、位置決め制御が可能な状態で水平方向に回動可能となっている。
【００４７】
次に、光軸調整手段１７、１８の動作について図４、図７を用いて説明する。上述したように図４は、表示手段２に表示される画像が、視覚的に訓練者の近傍にある状態を示しているものである。
【００４８】
光軸調整手段である左目用第１、第２ミラー１７ａ、１７ｂ、および右目用第１、第２ミラー１８ａ、１８ｂは、図４に示すように第１、第２の光学手段３、４の水平方向外周側に向けて、回転駆動手段１９、２０によって回動され、適宜所望の角度に位置決め制御されている。
【００４９】
そして、このように設定した場合、表示手段２の表示部からの光は対物レンズ３ｃ、４ｃおよび接眼レンズ３ｂ、４ｂを通過して、まず左目用第１ミラー１７ａ、右目用第１ミラー１８ａによって反射され、続いて左目用第２ミラー１７ｂ、右目用第２ミラー１８ｂによって反射される。
【００５０】
この反射された光は、その光軸のなす角度Φ１で訓練者１４の左目１４、右目１５に入射する。すなわち、輻輳角は、近点では図４に示すようにΦ１となるように設定されている。
【００５１】
一方、図７は、表示手段２に表示される画像が、視覚的に訓練者の遠方にある状態を示している。
【００５２】
光軸調整手段である左目用第１、第２ミラー１７ａ、１７ｂ、および右目用第１、第２ミラー１８ａ、１８ｂは、図７に示すように第１、第２の光学手段３、４の水平方向内周側に向けて、回転駆動手段１９、２０によって回動され、適宜所望の角度に位置決め制御されている。
【００５３】
そして、このように設定した場合には左目用第２ミラー１７ｂ、右目用第２ミラー１８ｂによって反射された光は、図７に示すように、その光軸のなす角度Φ２で訓練者１４の左目１４、右目１５に入射する。すなわち、輻輳角は、遠点では図７に示すようにΦ２となるように設定されている。
【００５４】
したがって輻輳角は、近点では図４に示すようにΦ１、遠点では図７に示すようにΦ２となり、輻輳角を適宜所望の角度に調整することができる。その結果、訓練者１４に対して表示手段２に表示された表示が近くから遠ざかるように移動する距離感を視覚認識させることができる。
【００５５】
そして、本発明の最大の特徴は、上述したように光軸調整手段１７、１８によって輻輳角を所望の角度に適切に調整することができることである。
【００５６】
すなわち、たとえば斜視など訓練者に個体差がある場合、まず訓練者の個体ごとに斜視の度合いを測定し、そのデータを採取する。その後、その採取したデータに基づいてそれぞれ訓練者の個体差に応じて、近点での輻輳角Φ１、および遠点での輻輳角Φ２を訓練者ごとに最適となるように設定し、その情報を図８に示す制御回路８に入力する。そして、図３に示すように、制御回路８に入力された情報に基づいて制御回路８によって左目用第１、第２ミラー駆動手段１９ａ、１９ｂ、および右目用第１、第２ミラー駆動手段２０ａ、２０ｂをそれぞれ独立して駆動する。この左目用第１、第２ミラー駆動手段１９ａ、１９ｂ、および右目用第１、第２ミラー駆動手段２０ａ、２０ｂによって、視力回復訓練において輻輳角をΦ１からΦ２まで連続的に変化させるように左目用第１、第２ミラー１７ａ、１７ｂ、および右目用第１、第２ミラー１８ａ、１８ｂを位置決め制御して回動させることができるということである。
【００５７】
これにより訓練者ごとに効果的に表示手段２に表示された表示が接近、または遠ざかるように移動する距離感を視覚認識させることができる。
【００５８】
つまり、本発明においては、訓練者に応じて個別に輻輳角を最適に調整することができるので、視力回復訓練において効果の個体差を抑制し、最大の効果を得ることができるのである。
【００５９】
また、本発明においては、表示手段２を訓練者１４の近くから遠方まで可動させるとともに水平方向内側、水平方向外側にも同時に可動させる必要がないので、装置の構成が簡略化されるとともに、小型化を図ることができるのである。さらに、電気部品などにより構成される表示手段２を固定できるので、機器の信頼性が向上するという効果を奏する。
【００６０】
ここで、本実施の形態では、光軸調整手段１７、１８として左目用第１、第２ミラー１７ａ、１７ｂ、および右目用第１、第２ミラー１８ａ、１８ｂを用いて説明したが、これに限定されるものではない。反射体として略平行に対向した反射面を有するプリズムを用いて上述した左目用第１、第２ミラー１７ａ、１７ｂ、および右目用第１、第２ミラー１８ａ、１８ｂと同様に表示手段２から入射する光を反射させて、訓練眼に光を入射させるようにすれば本実施形態と同様の効果が得られることは言うまでもない。
【００６１】
また、左目用第１、第２ミラー１７ａ、１７ｂ、および右目用第１、第２ミラー１８ａ、１８ｂは、図3に示すようにそれぞれ一対となるように４個の回転駆動手段１９（１９ａ、１９ｂ）、２０（２０ａ、２０ｂ）によって駆動されることとして説明したがこれに限定されるものではない。たとえば、回転駆動手段１９（１９ａ、１９ｂ）、２０（２０ａ、２０ｂ）に固定された端面と反対側の端面に左目用第１、第２ミラー１７ａ、１７ｂ、および右目用第１、第２ミラー１８ａ、１８ｂがそれぞれ略平行となる状態となるリンク機構を設けて一方のミラーの角度に他方のミラーの角度が連動して回動する構成とすることによって左目用第１、第２ミラー１７ａ、１７ｂと右目用第１、第２ミラー１８ａ、１８ｂにそれぞれ1つずつ回転駆動手段を設けるだけでよく、構成を簡略化して、装置を小型化できる。
【００６２】
また、ホルダ保持部３ｈ、４ｈに沿ってホルダ３ｅ、４ｅが移動する例を説明したが、これに限定されるものではない。案内溝３ｇ、４ｇのみでホルダ３ｅ、４ｅを保持して移動するように、棒状突起３ｆ、４ｆを案内溝３ｇ、４ｇの長手方向に伸びた略長方形の形状にしたり、棒状突起３ｆ、４ｆと同様の円柱状の棒状突起をホルダ３ｅ、４ｅの棒状突起３ｆ、４ｆを設けている他端側にも設けるなどしたりしても良い。
【００６３】
また、第１、第２の光学手段３、４に案内溝３ｇ、４ｇに平行な案内溝をそれぞれさらに設け、これにホルダ３ｅ、４ｅから円柱状の棒状突起をホルダ３ｅ、４ｅが可動可能に挿入することによって、ホルダ３ｅ、４ｅをガイドして移動させてもよい。
【００６４】
また、前記対物レンズ３ｃ、４ｃと前記ホルダ３ｅ、４ｅは一体で形成してもよく、この場合には対物レンズ３ｃ、４ｃとホルダ３ｅ、４ｅの組み合わせによるズレをなくし、また個々の部材の加工ばらつきの蓄積を低減することができるので、第１、第２の光学手段３、４における対物レンズ３ｃ、４ｃの位置精度を高めることができ、さらに、視力訓練回復装置の性能を高めることができるとともに、構成も簡素化できるという効果も奏する。
【００６５】
また、本実施形態では、この訓練は、図５に示す様に、可変表示２ｃが、近傍にある状態から、図６に示す遠方にある状態まで、この可変表示２ｃが、徐々に移動することを繰り返すことによって、訓練者１４に近くから遠方まで、画像を見ようとする訓練を行い、これによって、視力回復訓練を行おうとしているとして説明したがこれに限定されるものではない。
【００６６】
図６に示す様に、可変表示２ｃが、遠方にある状態から、図５に示す近傍にある状態まで、この可変表示２ｃが、徐々に移動することを繰り返すことによって、訓練者１４に遠方から近くまで、画像を見ようとする訓練を行い、これによって、視力回復訓練を行おうとしてもよい。この場合は遠視や老眼に対して視力回復訓練を行うことができる。
【産業上の利用可能性】
【００６７】
以上のように本発明は、画像の表示手段と、この表示手段に向けて水平方向に配置した第１、第２の光学手段とを備え、前記第１、第２の光学手段は、訓練者側に設けた接眼レンズと、表示側に設けた対物レンズと、前記訓練者と前記接眼レンズの間に訓練眼への光の入射角を調整する光軸調整手段を有し、前記対物レンズには、この対物レンズを前記接眼レンズと前記表示手段との間を可動させる可動手段を連結し、前記光軸調整手段には、この光軸調整手段を駆動させる駆動手段を備えているものであるので、視力回復訓練において効果の個体差を抑制し、最大の効果を得ることができる。
【００６８】
すなわち、本発明においては、表示手段を固定配置し、この表示手段と接眼レンズの間で対物レンズを可動させ、さらに、訓練者と接眼レンズの間に訓練眼への光の入射角を調整する光軸調整手段によって訓練眼に入射する光の角度を適宜調整して、たとえば、斜視など訓練者の個体差に応じて最適の状態に輻輳角を調整でき、これにより訓練者に効果的に表示手段に表示された表示が接近、または遠ざかるように移動する距離感を視覚認識させることができる。
【００６９】
つまり、本発明においては、訓練者に応じて個別に輻輳角を最適に調整することができるので、視力回復訓練において効果の個体差を抑制し、最大の効果を得ることができるのである。
【００７０】
このため、訓練者の個体差によらず視力訓練の最大の効果が期待できるので、家庭用などの視力回復訓練装置として広く普及することが期待される。
【図面の簡単な説明】
【００７１】
【図１】本発明の一実施形態を示す斜視図
【図２】その一部切り欠き斜視図
【図３】その電気的な回路ブロック図
【図４】その表示手段と光学手段を示す断面図
【図５】その表示手段の正面図
【図６】その表示手段の正面図
【図７】その表示手段と光学手段を示す断面図
【図８】その要部である光軸調整手段を示す斜視図
【符号の説明】
【００７２】
１  本体ケース
２  表示手段
３  第１の光学手段
３ａ、４ａ  鏡筒
３ｂ、４ｂ  接眼レンズ
３ｃ、４ｃ  対物レンズ
３ｄ、４ｄ  開口
３ｅ、４ｅ  ホルダ
３ｆ、４ｆ  棒状突起
３ｇ、４ｇ  案内溝
４  第２の光学手段
５  ロッド
６  リニアアクチュエータ
７  モータ
８  制御回路
９  ＡＣ／ＤＣ電源ユニット
１０  交流電源
１１  電源スイッチ
１２  スタートスイッチ
１３  駆動回路
１４  訓練者
１５  右目
１６  左目
１７、１８  光軸調整手段
１７ａ  左目用第１ミラー
１７ｂ  左目用第２ミラー
１８ａ  右目用第１ミラー
１８ｂ  右目用第２ミラー
１９、２０  回転駆動手段
１９ａ  左目用第１ミラー駆動手段
１９ｂ  左目用第２ミラー駆動手段
２０ａ  右目用第１ミラー駆動手段
２０ｂ  右目用第２ミラー駆動手段
【図１】
2010088539.tif 000003
【図２】
2010088539.tif 000004
【図３】
2010088539.tif 000005
【図４】
2010088539.tif 000006
【図５】
2010088539.tif 000007
【図６】
2010088539.tif 000008
【図７】
2010088539.tif 000009
【図８】
2010088539.tif 000010